(57)【要約】      （修正有）【課題】広告塔に外力が印加された場合にも、広告塔を安定性良く支持できる広告塔用の台座を提供する。【解決手段】筒状又は柱状の広告塔１の下部を支持する広告塔用の台座１０において、台座の底部に形成された湾曲面５２を有し、当該湾曲面５２が着地されることにより前記広告塔の姿勢を傾斜状態から鉛直状態に自動的に復帰させるように構成された倒伏抑制構造５０を備えられている。【選択図】図９
2007292806.tif 000002
【特許請求の範囲】
【請求項１】
筒状又は柱状の広告塔の下部を支持する広告塔用の台座において、
当該台座の底部に形成された湾曲面を有し、当該湾曲面が着地されることにより前記広告塔の姿勢を傾斜状態から鉛直状態に自動的に復帰させるように構成された倒伏抑制構造を備えた、広告塔用の台座。
【請求項２】
前記倒伏抑制構造は、前記底部に形成された着地可能な平坦面を有し、
前記湾曲面は、前記平坦面の上方に曲率中心を有し且つ前記平坦面の周囲に延在している、請求項１に記載の広告塔用の台座。
【請求項３】
前記湾曲面は、前記平坦面の中心部から放射状に向かう方向に延在している、請求項２に記載の広告塔用の台座。
【請求項４】
前記湾曲面は、基端側が前記平坦面に連なり、
前記底部には、前記湾曲面の先端側に連なり、当該湾曲面の先端側との間で段差を構成する段差面が形成されている、請求項２又は３に記載の広告塔用の台座。
【請求項５】
前記広告塔を載置するベース部を備え、
前記段差面は、前記ベース部の周面と前記湾曲面との間に位置している、請求項４に記載の広告塔用の台座。
【請求項６】
前記平坦面は、環状又は円状に形成されている、請求項２ないし５のいずれか一項に記載の広告塔用の台座。
【請求項７】
錘を収容可能な凹部を有し、
前記平坦面は、前記凹部の裏面側に形成されている、請求項２ないし５のいずれか一項に記載の広告塔用の台座。
【請求項８】
前記広告塔の下部が取外し可能に取り付けられる取付け部を備えた、請求項１ないし７のいずれか一項に記載の広告塔用の台座。
【請求項９】
請求項１ないし８のいずれか一項に記載の広告塔用の台座に支持された広告塔。
【発明の詳細な説明】
【技術分野】
【０００１】
本発明は、筒状又は柱状の広告塔の下部を支持する広告塔を支持する広告塔用の台座、及びそれを備えた広告塔に関するものである。
【背景技術】
【０００２】
新商品や新サービスのキャンペーンでは、さまざまな広告塔が用いられている。例えば、コンビニエンスストアの店先には、新商品を表示した旗竿タイプの広告塔が設置される。この広告塔の設置では、例えば道路のガードフェンスなどの既存設備に旗竿を紐で結び付ける方法等がとられている。また、商品の販売促進や会社の宣伝のために、卓上カレンダーなどの広告塔も用いられることもある。
【０００３】
広告塔として、例えば非特許文献１及び２に記載されるような縦長筒状のものが知られている。この広告塔は、厚紙などの素材からなり、縦長筒状の外周面に所望の広告を表示するものである。この広告塔は、下部外周面に設けられた前後一対の設置用プレートによって、地面上などに設置されるようになっている。
【非特許文献１】意匠登録第１１３８９５８号公報
【非特許文献２】意匠登録第１１４７７１５号公報
【発明の開示】
【発明が解決しようとする課題】
【０００４】
しかし、非特許文献１及び２に記載に記載の広告塔は、設置用プレートによって簡易に設置されるものであるため、店の外などに設置されて風の影響を受けると、簡単に倒れるおそれがあった。もっとも、広告塔が倒れないように、広告塔を既存設備に紐で結び付けることも考えられるが、その作業は煩雑である。
【０００５】
本発明は、広告塔に外力が印加された場合にも、広告塔を安定性良く支持できる広告塔用の台座を提供することをその目的としている。
また、本発明は、倒れることを抑制できる広告塔を提供することをその目的としている。
【課題を解決するための手段】
【０００６】
上記目的を達成するための本発明の広告塔用の台座は、筒状又は柱状の広告塔の下部を支持する広告塔用の台座において、台座の底部に形成された湾曲面を有し、湾曲面が着地されることにより広告塔の姿勢を傾斜状態から鉛直状態に自動的に復帰させるように構成された倒伏抑制構造を備えたものである。
【０００７】
この構成によれば、風などの外力が広告塔に印加されても、湾曲面が着地されることによって広告塔の姿勢を傾斜状態にできる。一方で、当該外力の印加が解除されたとき、湾曲面が着地されることによって広告塔の姿勢を鉛直状態にできる。このように、起き上がりこぼし構造のような倒伏抑制構造を備えることで、広告塔が外力によって倒れるのを抑制でき、広告塔を安定性良く支持できる。
【０００８】
この場合、倒伏抑制構造は、底部に形成された着地可能な平坦面を有し、湾曲面は、平坦面の上方に曲率中心を有し且つ平坦面の周囲に延在していることが好ましい。
【０００９】
この構成によれば、広告塔に外力が印加されない状態では、台座が平坦面で着地されて広告塔を鉛直状態の姿勢で支持できる。また、広告塔が水平方向のどの方向から外力を印加されても、着地面が平坦面から湾曲面に移行するので、広告塔を傾斜状態の姿勢で支持できる一方、外力の印加が解除されたときには、着地面が湾曲面から平坦面に移行するので、広告塔の姿勢を鉛直状態に復帰させることができる。
【００１０】
この場合、湾曲面は、平坦面の中心部から放射状に向かう方向に延在していることが好ましい。
【００１１】
この構成によれば、湾曲面を球帯状に形成する場合に比べて、湾曲面が着地する面積を全体として減らすことができる。
【００１２】
これらの場合、湾曲面は、基端側が平坦面に連なり、底部には、湾曲面の先端側に連なり、当該湾曲面の先端側との間で段差を構成する段差面が形成されていることが好ましい。
【００１３】
この構成によれば、広告塔の最大の傾斜位置を規制できるようになる。これにより、広告塔が倒れるのをより一層適切に抑制できる。
【００１４】
この場合、本発明の台座は、広告塔を載置するベース部を備え、段差面は、ベース部の周面と湾曲面との間に位置していることが好ましい。
【００１５】
これらの場合、平坦面は、環状又は円状に形成されていることが好ましい。
【００１６】
この構成によれば、水平方向における外力の印加方向に関わらず、平坦面から湾曲面への着地面の移行が、またその後の湾曲面から平坦面への着地面の移行が円滑になされるようになる。
【００１７】
これらの場合、本発明の台座は、錘を収容可能な凹部を有し、平坦面は、凹部の裏面側に形成されていることが好ましい。
【００１８】
この構成によれば、必要に応じて錘を凹部に収容することで、台座付き広告塔の重心を下げることができる。これにより、台座が比較的軽い場合であっても、台座の倒伏抑制構造を適切に機能させることができる。また、錘を収容可能な凹部を台座に設けることで、台座自体の重さに設計の自由度を持たせることができる。さらに、広告塔に外力が印加されない状態で着地される平坦面が凹部の裏面側に形成されているため、倒伏抑制構造が適切に機能するようになる。
【００１９】
これらの場合、本発明の台座は、広告塔の下部が取外し可能に取り付けられる取付け部を備えていることが好ましい。
【００２０】
この構成によれば、広告塔を台座から取り外すことができるので、台座及び広告塔の個別の運搬及び保管がし易くなる。また、台座が支持する広告塔を別の広告塔に簡単に交換できるようにもなる。
【００２１】
上記目的を達成するための本発明の広告塔は、上記した本発明の台座に支持されたものである。
【発明の効果】
【００２２】
以上説明した本発明の広告塔用の台座によれば、広告塔に外力が印加された場合にも、広告塔を安定性良く支持できる。また、本発明の広告塔によれば、上記の台座に支持されるので、倒れることを抑制できる。
【発明を実施するための最良の形態】
【００２３】
以下、添付図面を参照して、本発明の好適な実施形態について説明する。
図１ないし図３は、それぞれ、台座で支持された広告塔を示す斜視図、正面図及び右側面図である。
【００２４】
広告塔１は、鉛直方向に長い筒状に構成されている。広告塔１の筒状の形状は、円筒又は角筒のいずれでもよく、また、筒状の断面形状は、円、半円、長円又は三日月のいずれであってもよいが、ここでは楕円で構成されている。広告塔１の外周面２には、この広告塔１が宣伝する広告の内容や、広告主である会社のロゴ、各種の文字、図形又は記号などの標章を付され得る。ここでは、広告塔１の正面側の一部の外周面２に、「Ａ」の文字が表示されている。
【００２５】
広告塔１は、紙や樹脂など、各種の材料で形成することができる。ここでは、低コスト化や廃棄のし易さ等の観点から、広告塔１を厚紙で形成している。この場合、広告塔１は、折り畳み可能な二枚の厚紙をつなぎ合わせることで、内部が空洞で鉛直方向に所定の高さを有する形状へと組み立てられている。厚紙同士がつなぎ合わせられる部位３，３は、広告塔１の断面形状において、楕円の長軸方向の両端に相当する位置である。なお、広告塔１は、各厚紙の折り目によって鉛直方向に４つのエリアに区画されており、その折り目で折られることで、一つのエリアに相当するサイズに折りたたまれるようになっている。
【００２６】
広告塔１の上下端部は、楕円状に開口している。広告塔１は、楕円状の下端面４が台座１０に載置され、これに支持される。また、広告塔１では、その下部５が台座１０の取付け部３０を内側に収容するように取付け部３０に装着されると共に、ビス７等の固定手段により取付け部３０に取外し可能に取り付けられる。このとき、広告塔１は台座１０のベース部２０の中央で支持され、広告塔１における楕円の長軸方向及び短軸方向は、それぞれ、ベース部２０の直径方向に合致するようになっている。
【００２７】
他の実施態様では、広告塔１の上部、中間部及び下部は筒状でなくても良く、例えば柱状であってもよい。また、柱状の広告塔の断面形状も特に限定されるものではなく、例えば、矩形、円形、半円形及び楕円形などのいずれであってもよい。
【００２８】
図４ないし図８を参照して、台座１０について詳述する。図４は台座１０を上側から見た斜視図であり、図５は台座１０の平面図であり、図６は図５のＶＩ−ＶＩ線で切断した台座１０の断面図であり、図７は台座１０を下側から見た斜視図であり、そして、図８は台座１０の底面図である。
【００２９】
図４ないし図８に示すように、台座１０は、概略、ベース部２０、取付け部３０及び錘収容凹部４０を有すると共に、倒伏抑制構造５０を有している。
【００３０】
台座１０は、樹脂や金属など、各種の材料で形成することができる。ここでは、台座１０は、ベース部２０、取付け部３０、錘収容凹部４０、及び倒伏抑制構造５０を構成する部分を含め、樹脂により一体成形され、広告塔１よりも重くなっている。
【００３１】
ただし、台座１０自体の重さを広告塔１より軽くし、台座１０に錘を収容することで、台座１０を全体として広告塔１よりも重くしてもよい。要するに、台座１０付きの広告塔１において、台座１０の下部に重心が存在すればよく、そのためには、台座１０自体を軽量の材料で形成して、台座１０に錘を収容するようにしてもよい。
【００３２】
先ず、特に図４ないし図６を参照して、ベース部２０、取付け部３０及び錘収容凹部４０について説明する。
ベース部２０は、平面視、全体として円形からなる。ベース部２０の上面２１は、径方向外側に向かって僅かに下方に傾斜している。ベース部２０の下面２２側には、主として上記の倒伏抑制構造５０が形成されている。ベース部２０の上面２１と下面２２とを連ねる外周面２３は、外側に対し凸面となるように湾曲している。
【００３３】
取付け部３０は、平面視、略楕円状の外周壁３１を有している。外周壁３１は、ベース部２０の上面２１から垂直に立ち上がり、広告塔１の下部５の形状に対応して断面略楕円状に形成されている。広告塔１は、下部５の内周面が外周壁３１に対向して嵌合するように、取付け部３０に装着される。装着状態の広告塔１は、下端面４が外周壁３１とベース部２０の上面２１との境界に位置するようになっている。他の実施態様では、外周壁３１から離間した位置の上面２１で下端面４を載置するようにしてもよい。
【００３４】
外周壁３１の楕円状における短軸及び長軸は、ベース部２０の円の直径方向に延在し且つその中心で交差している。外周壁３１の短軸方向の両端に相当する位置には、取付け孔３２、３２が形成されている。取付け孔３２にビス７等の固定手段が挿入されて、取付け部３０に広告塔１の下部５が取り付けられる。また、外周壁３１の長軸方向の両端に相当する位置は、内側に窪むように形成されている。
【００３５】
錘収容凹部４０は、上方を開口した内周壁４１と、内周壁４１の下端を閉じるように形成された底壁４２と、により画成されている。内周壁４１は、平面視、ベース部２０と同心の環状からなり、外周壁３１の内側に位置している。内周壁４１の上端４１ａは、外周壁３１の上端３１ａと面一になっている。内周壁４１は、ベース部２０の中心部を貫通するように下方に延在しており、ベース部２０の下面２２から下方に突出するように形成されている。そのため、底壁４２は、ベース部２０の下面２２の下方に位置している。また、底壁４２は、ベース部２０の下面２２と平行に延在している。
【００３６】
錘収容凹部４０は、底壁４２に錘を載せることで、内周壁４１及び底壁４２から画成された空間に錘を収容することができる。錘は、重量のあるものであればよく、例えば砂や水などで代用することができる。錘収容凹部４０に収容する錘の重さを調整することで、台座１０の下部の所望の位置に重心を設定することができる。上記構成では、底壁４２がベース部２０の下面２２の下方に位置しているので、比較的軽い錘で台座１０の重心を下げることができる。なお、図４にのみ示す蓋４４は、錘収容凹部４０を閉塞するためのものであり、内周壁４１の上部に着脱可能に嵌合される。
【００３７】
本実施形態のように、内周壁４１と外周壁３１とを離間して、それらの間に複数の凹部４５を形成してもよい。凹部４５は、ベース部２０の上面２１を底壁４２とする比較的浅底のものであり、周方向に分散して６つが形成されている。このような構成とすることで、凹部４５の空間領域の分だけ台座１０の上部での重量が減らすことができ、台座１０を低重心にし易くなる。また、本実施形態のように、内周壁４１と外周壁３１との間に各凹部４５を区画する柱状部４６を形成し、柱状部４６で内周壁４１と外周壁３１とを連ねることで、外周壁３１の強度及び剛性を高めることができる。
【００３８】
次に、特に図６ないし図８を参照して、倒伏抑制構造５０について説明する。
倒伏抑制構造５０は、台座１０に支持された広告塔１が倒伏するのを抑制する構造であり、広告塔１の姿勢を自立的に制御するものである。
【００３９】
具体的には、広告塔１に水平方向の外力が印加されたとき（以下、「外力印加時」という。）に、広告塔１は台座１０と一体に揺動し、傾斜する。倒伏抑制構造５０は、この外力印加時の広告塔１の姿勢が傾斜状態となるのを許容するように構成されていると共に、この外力が解除されたとき（以下、「常態時」という。）に、広告塔１の姿勢を傾斜状態から自動的に鉛直状態に復帰させるように構成されている。このような倒伏抑制構造５０による広告塔１に対する機能は、起き上がりこぼし構造と同様のものであるが、広告塔１が完全に倒れた場合にこれを起き上がらせることができない点において起き上がりこぼし構造と相違する。
【００４０】
倒伏抑制構造５０は、台座１０の底部に形成され、それぞれが着地可能な平坦面５１と湾曲面５２とを有している。
【００４１】
平坦面５１は、ベース部２０と同心の環状からなり、上記した底壁４２の裏面４２ａ側の周縁部に形成されている。平坦面５１は、底壁４２の裏面４２ａよりも僅かに高くなっている。このため、常態時において、平坦面５１は、底壁４２の裏面４２ａよりも優先して着地するようになっている。この常態時では、台座１０は、平坦面５１が着地面となって、広告塔１を鉛直状態の姿勢で支持する。他の実施態様では、底壁４２の裏面４２ａ全域を平坦面５１として構成し、平坦面５１がベース部２０と同心の円状に形成されてもよい。
【００４２】
湾曲面５２は、平坦面５１の中心部から放射状に向かう方向に且つ平坦面５１の周囲に延在している。詳細には、本実施形態では同じ形状の湾曲面５２が１６個あり、１６個の湾曲面５２が、ベース部２０又は平坦面５１の中心を中心として、２２．５度のピッチとなるように、平坦面５１の周囲から全体として放射状に延在している。
【００４３】
湾曲面５２の基端側は、平坦面５１の外周縁に面一で連なっている。湾曲面５２は、下向きに凸となるように湾曲しており、その湾曲の曲率中心は、平坦面５１の上方に（つまり取付け部３０側に）位置している。換言すれば、湾曲面５２は、その基端側から先端側にかけて、ベース部２０の下面２２との距離が縮まるように湾曲している。湾曲面５２は、例えば、球体の一部を切断した円弧状の面で構成される。
【００４４】
湾曲面５２の先端側には、湾曲面５２との間で所定の段差を構成する着地可能な段差面６１が連なっている。段差面６１は、平坦面５１の下方に曲率中心を有しており、湾曲面５２の延在方向（径方向）において湾曲面５２の先端側とベース部２０の外周面２３とを連ねている。後述するように、段差面６１を湾曲面５２と外周面２３との間に形成しておくことで、広告塔１の最大の傾斜位置で規制でき、広告塔１が倒れるのをより一層適切に抑制できるようになる。
【００４５】
湾曲面５２及び段差面６１は、ベース部２０の下面２２から立設した羽根状のプレート６２の下端面に、連続して形成されている。プレート６２は、湾曲面５２及び段差面６１の数に対応して形成されており、本実施形態では、１６個のプレート６２がベース部２０の径方向に延在している。そして、プレート６２の径方向内側の端面は、ベース部２０の下面２２から下方に突出した内周壁４１の外面４１ｂに連なっている。
【００４６】
他の実施態様では、湾曲面５２を球帯状に形成してもよい。例えば、半球の球面に近い球面からなる湾曲面５２を形成し、プレート６２を省略するようにしてもよい。ただし、本実施形態のように、湾曲面５２を放射状に形成することで、台座１０自体の重量を軽くできると共に、湾曲面５２が着地する面積を全体として減らすことができる。
【００４７】
図９を参照して、本実施形態の台座１０の作用について説明する。
図９（Ｂ）に示すように、常態時では、台座１０の平坦面５１が着地して、広告塔１の姿勢は鉛直状態となる。ここで、鉛直状態とは、広告塔１が傾いていない状態をいう。
【００４８】
図９（Ａ）に示すように、例えば矢印Ｘに示す水平方向の外力が広告塔１に作用（印加）されると、台座１０の着地面が平坦面５１から湾曲面５２に移行するため、台座１０は湾曲面５２の湾曲にならって傾斜する。このとき、台座１０は広告塔１を傾斜状態の姿勢で支持するため、広告塔１が倒れるのを抑制することができる。このような現象は、広告塔１に対する外力が水平方向のどの方向であっても、また矢印Ｙに示す斜めの方向であっても、生じさせることができる。その理由は、湾曲面５２が放射状に形成されていて、広告塔１を前後左右のあらゆる方向に傾斜させることができるからである。なお、傾斜状態とは、広告塔１の上部が鉛直方向から傾いた状態をいう。
【００４９】
仮に、図９（Ａ）に示す外力印加時よりも大きい外力が広告塔１に印加されたとすれば、台座１０のうち、湾曲面５２の先端側の部位とベース部２０の外周面２３の部位との二箇所が着地されることになる。つまり、比較的小さな外力の印加時であれば、湾曲面５２の一部が着地面となって、広告塔１が傾斜状態になる一方、比較的大きな外力の印加時であれば、段差面６１を挟む上記の二箇所が着地面となって、傾斜状態の広告塔１の最大の傾斜位置が規制されるようになる。
【００５０】
一方で、外力印加時から外力が解除されると、平坦面５１が湾曲面５２よりも下になるように台座１０が自立的に姿勢を修正するため、台座１０の着地面が湾曲面５２から平坦面５１に移行する。その結果、図９（Ｂ）に示すように、広告塔１の姿勢が傾斜状態から鉛直状態に自動的に復帰させられることになる。
【００５１】
以上説明したように、本実施形態の台座１０によれば、広告塔１に風などの外力が作用された場合であっても、湾曲面５２を接地させることにより広告塔１を傾斜状態の姿勢で支持することができる。また、この外力の作用がなくなった場合には、湾曲面５２の着地部位が順次相対移動して最終的に平坦面５１が着地されることにより、広告塔１の姿勢を傾斜状態から鉛直状態に復帰させることができる。
【００５２】
このように、台座１０付きの広告塔１の全体が起き上がりこぼしのように常態で起立するように構成されているため、広告塔１が外力によって倒れるのを抑制できる。したがって、例えば店の外などの外部環境下に広告塔１をおいたとしても、広告塔１を安定性良く支持することができる。
【００５３】
他の実施態様では、倒伏抑制構造５０が、広告塔１の姿勢を鉛直状態以外の状態に復帰させてもよい。例えば、広告塔１が予め台座１０に傾斜した状態で取り付けられており、常態時において広告塔１の姿勢が傾斜した状態（これを以下、「当初状態」という。）にある場合もある。広告塔１に外力が印加されると、広告塔１の姿勢は当初状態とは異なる傾斜状態となるが、倒伏抑制構造５０は、広告塔１の姿勢をこの傾斜状態から当初状態に自動的に復帰させることになる。したがって、他の実施態様では、上記の「鉛直状態」は「当初状態」と読み替えることができる。
【００５４】
また、他の実施態様では、台座１０が平坦面５１を有しないもので構成されてもよい。例えば、この平坦面５１に代えて凸面を設けて、凸面の周囲に湾曲面５２を延在させてもよい。
【産業上の利用可能性】
【００５５】
以上説明した台座１０は、筒状又は柱状の広告塔１のみならず、広告宣伝用品又は他の物品を支持するのにも用いることができる。例えば、台座１０は、看板、投票箱、抽選箱又はＣＤラックなどの筒状又は柱状の広告宣伝用品又は物品を支持することができる。
【図面の簡単な説明】
【００５６】
【図１】実施形態に係る台座に支持された広告塔の斜視図である。
【図２】実施形態に係る台座に支持された広告塔の正面図である。
【図３】実施形態に係る台座に支持された広告塔の右側面図である。
【図４】実施形態に係る台座を上側から見た斜視図である。
【図５】実施形態に係る台座の平面図である。
【図６】実施形態に係る台座の断面図である。
【図７】実施形態に係る台座を下側から見た斜視図である。
【図８】実施形態に係る台座の底面図である。
【図９】実施形態に係る台座に支持された広告塔が傾斜した状態を示す斜視図である。
【符号の説明】
【００５７】
１：広告塔、５：下部、１０：台座、２０：ベース部、３０、取付け部、４０：錘収容凹部、４２ａ：裏面、５０：倒伏抑制構造、５１：平坦面、５２：湾曲面、６１：段差面
【図１】
2007292806.tif 000003
【図２】
2007292806.tif 000004
【図３】
2007292806.tif 000005
【図４】
2007292806.tif 000006
【図５】
2007292806.tif 000007
【図６】
2007292806.tif 000008
【図７】
2007292806.tif 000009
【図８】
2007292806.tif 000010
【図９】
2007292806.tif 000011